(57)【要約】【課題】防水ファスナーを備えた挿入口を開けやすい構造とした携帯情報端末機器を内部に収納するケースを提供する。【解決手段】ストラップ４と、透明で柔軟な樹脂製のシートを重ね合わせて形成した袋状の収納部１２と、収納部１２に形成した挿入口１３ａに防水ファスナー１３を備え、重ね合わせた前面側のシート２ａには、防水ファスナー１３より上方に突出して形成されるツマミ部２１を設けたことでツマミ部２１を摘んで防水ファスナー１３を容易に開けることができる携帯情報端末機器ケース１となる。【選択図】図３
2015100368.tif 000002
【特許請求の範囲】
【請求項１】
樹脂製のシートを重ね合わせて形成した袋状の収納部と、前記収納部に形成した挿入口に防水ファスナーを備えた携帯情報端末機器ケースにおいて、
重ね合わせた前面側の前記シートには、前記防水ファスナーより上方に突出して形成されるツマミ部を設けたことを特徴とする携帯情報端末機器ケース。
【請求項２】
前記携帯情報端末機器ケースは留め具を有するストラップを備え、重ね合わせた背面側の前記シートには、前記防水ファスナーより上方に突出して形成されるストラップ受部を備え、前記ストラップ受部には、前記ツマミ部に対向した位置に、前記ストラップの留め具を掛ける吊孔を備え、前記留め具を前記吊孔に掛けた時に前記ツマミ部が前記ストラップ受部から持ち上がることを特徴とする請求項１に記載の携帯情報端末機器ケース。
【請求項３】
前記シートの背面側には、前記収納部に携帯情報端末機器を収納した状態を示すイラストが印刷されていることを特徴とする請求項１または２に記載の携帯情報端末機器ケース。
【発明の詳細な説明】
【技術分野】
【０００１】
本発明は携帯情報端末機器を内部に収納して首から吊り下げるためのケースの開閉構造に関する。
【背景技術】
【０００２】
携帯情報端末機器を収納できるケースに特許文献１がある。これは携帯電話を衝撃や水濡れから保護するためのケースであり、柔軟な塩化ビニール製の透明シートでなる前面パネルと背面パネルとをその周縁の左右辺および下辺に沿って互いに溶着して縦長封筒形のケースを形成し、前面パネルと背面パネルとの上辺に沿って防水ファスナーを設けて封筒状の挿入口を密封可能にしたものである。
そして、背面パネルを防水ファスナーよりも上方に延長して形成した舌状片に穴を設け、その穴にストラップが通してあり、そのストラップを首に掛けることで携帯電話を首から吊り下げることができる。
【先行技術文献】
【特許文献】
【０００３】
【特許文献１】特開２００２−３２０５１１号公報
【発明の概要】
【発明が解決しようとする課題】
【０００４】
しかしながら、特許文献１に示されたケースは、透明シートの前面パネルの上辺に沿って防水ファスナーが設けられているが、ビニールの性質により前面パネルと背面パネルが密着しやすいことで、どこがケースの挿入口であるかが見えにくく、またケースの挿入口が開けにくい。さらに、無理に開けると防水ファスナーの左右端が裂けるという問題があった。
【０００５】
本発明は以上述べた問題点を解決し、防水ファスナーを備えた挿入口を開けやすい構造とした携帯情報端末機器を内部に収納するケースを提供する。
【課題を解決するための手段】
【０００６】
上述した課題を解決するために本発明は、樹脂製のシートを重ね合わせて形成した袋状の収納部と、前記収納部に形成した挿入口に防水ファスナーを備えた携帯情報端末機器ケースにおいて、重ね合わせた前面側の前記シートには、前記防水ファスナーより上方に突出して形成されるツマミ部を設けたことを特徴とする。
【０００７】
また、前記携帯情報端末機器ケースは留め具を有するストラップを備え、重ね合わせた背面側の前記シートには、前記防水ファスナーより上方に突出して形成されるストラップ受部を備え、前記ストラップ受部には、前記ツマミ部に対向した位置に、前記ストラップの留め具を掛ける吊孔を備え、前記留め具を前記吊孔に掛けた時に前記ツマミ部が前記ストラップ受部から持ち上がる構成も含まれる。
【発明の効果】
【０００８】
上記のように構成した本発明の携帯情報端末機器ケースは、重ね合わせた前面側のシートにツマミ部を設けたことで、ツマミ部を摘んで防水ファスナーを容易に開けることができるものとなる。
また、ストラップの留め具を吊孔に掛けた時にストラップ受部からツマミ部が持ち上がる状態となり、ツマミ部が見えやすくなり、開ける時に容易にツマミ部を摘むことができるものとなる。
【図面の簡単な説明】
【０００９】
【図１】本発明の携帯情報端末機器用ケース内に患者案内カードを収納した状態を示す正面図である。
【図２】本発明の携帯情報端末機器用ケースの使用状態を示す図である。
【図３】本発明の携帯情報端末機器用ケースの正面図である。
【図４】図３のＸ−Ｘの部分拡大断面図である。
【図５】本発明の携帯情報端末機器用ケースの開蓋状態を示す図である。
【発明を実施するための形態】
【００１０】
以下、本発明を実施するための形態を、添付図面に基づいた実施例として詳細に説明する。
【実施例】
【００１１】
図１示す本実施例の携帯情報端末機器用ケース１は、例えば病院で患者案内システムに使われる患者案内カード５を収納するケースのことである。だが、患者案内カード５に限らず携帯電話、スマートフォンおよびタブレット等の携帯情報端末機器を収納するケースにも使用される。
【００１２】
患者案内カード５は、病院内に設置された図示しない電子カルテサーバーと無線で接続され、病院内を通信エリアとすることで患者が待合室に縛られることなく、無線通信により診察の進行状況が簡単に確認でき、待ち時間のストレスが軽減されるものである。
患者が病院の再来受付機に診察券を挿入すると同時に患者に患者案内カード５が貸し出される。患者案内カード５は葉書サイズの薄型の本体５１の中央に電子ペーパーによる画面５２を備える。画面５２には当日受信する診療科目・予約時間が表示され、診察時間が近づくとメッセージが表示される。また図示しないが音声装置とバイブレータ装置も備え患者にメッセージがあることを画面表示とともに通知する。これにより患者は診察までの間、喫茶や読書など好きな過ごし方で順番を待つことができる。
【００１３】
携帯情報端末機器用ケース１は再来受付機の近傍に置かれている。携帯情報端末機器用ケース１には図３に示すように患者案内カード５を収納した状態を示すイラスト３３が予め印刷されており、患者はこれに従って後述する収納部１２の中に患者案内カード５を挿入する。そしてストラップ４を首に掛けて吊り下げることで自由に病院内を移動できる。この時、患者案内カード５は図１に示すように天地逆転した状態で携帯情報端末機器用ケース１に収納されているが、図２に示すように使用者（患者）Ｎは首に掛けたまま携帯情報端末機器用ケース１を手にすると患者案内カード５の画面５２の天地が正しい状態となり表示内容を容易に確認できる。
【００１４】
携帯情報端末機器用ケース１は、図３と図４と図５に示すように、ストラップ４と、厚さ約０．３ｍｍの軟質塩化ビニールなどの透明で柔軟な樹脂製のシート１０を重ね合わせて形成される。尚、シート１０は一枚のシートを下端で折り曲げて重ね合わせ、シート１０の前面側のシート２ａと背面側のシート３ａとして形成してもよいし、前面シート２と背面シート３の２枚のシートを重ね合わせて形成してもよい。
以下の説明では前面側のシート２ａを含んで前面シート２とし、背面側のシート３ａを含んで背面シート３として説明する。
尚、図３に示す携帯情報端末機器用ケース１において図示されている面を正面Ｆとし、その対面を背面Ｂとし、向かって右を右端Ｒ、左を左端Ｌ、上を上端Ｔ、下を下端Ｕとして以下説明する。
【００１５】
前面シート２と背面シート３の横幅は横幅約１２５ｍｍで右端Ｒと左端Ｌと下端Ｕとを重ね合わせ、下端Ｕから上に向かって約１８０ｍｍの高さｈまでの周囲の縁を溶着させ袋状の収納部１２を形成する。収納部１２の上部に形成した挿入口１３ａには収納部１２を閉じるための防水ファスナー１３を備える。
【００１６】
前面シート２は、防水ファスナー１３より上方に突出して形成されるツマミ部２１を備える。ツマミ部２１は、防水ファスナー１３の上で左右幅が約２ｍｍ狭くなるツマミ下部２１ａと、さらに防水ファスナー１３より約６ｍｍ上方で中央部が突出して左右幅が約６０ｍｍとなるツマミ上部２１ｂとからなる２段の突出形状となっている。また、開閉時に操作者Ｎが摘みやすく、且つ角部で手を切らないように、ツマミ部２１のツマミ上部２１ｂの左右角部には半径約６ｍｍの円弧を、ツマミ下部２１ａとツマミ上部２１ｂを繋ぐ角部には半径約３ｍｍの円弧が設けられている。尚、ツマミ部２１は、これにかぎらず左右どちらに片寄ってツマミ上部２１ｂが突出した形状でもよく、また部分的に突出した形状ではなく防水ファスナー１３から上全体が突出した形状でもよい。
【００１７】
前面シート２がツマミ部２１を備えたことで、ツマミ部２１を摘んで防水ファスナー１３を容易に開けることができるものとなる。
また、ツマミ部２１はツマミ下部２１ａとツマミ上部２１ｂの２段の突出形状となっていることから、中央のツマミ上部２１ａを摘むことで、防水ファスナー１３を中央から開けることができ、防水ファスナー１３の左右端が裂けることを防止できる。
【００１８】
背面シート３は、防水ファスナー１３より上方に突出して形成されるストラップ受部３１を備える。ストラップ受部３１は収納部１２と同幅である。前面シート２のツマミ部２１と背面シート３のストラップ受部３１は、図３では背面シート３のストラップ受部３１が約５ｍｍ高くなっているが、これにかぎらず同じ高さでもよい。
【００１９】
背面シート３がストラップ受部３１を備えたことで、ストラップ受部３１を持ち、ストラップ受部３１の対面のツマミ部２１を摘んで前方に引くことでさらに容易に防水ファスナー１３を開けることができるものとなる。
【００２０】
ストラップ受部３１には、ツマミ部２１のツマミ上部２１ｂに対向した位置に、ストラップ４の後述する留め具４１を掛ける横長で小判型の吊孔３２を備える。
また、背面シート３には、正面Ｆから視認できるように、患者案内カード５が収納された状態を示すイラスト３３と「挿入方向」の文字と矢印が印刷されている。前述したように使用者Ｎは患者案内カード５を「挿入方向」の文字と矢印に沿って開口した収納部１２に挿入し、イラスト３３と同じ向きで天地逆転した状態に収納させる。これにより、使用者（患者）Ｎは首に掛けたまま携帯情報端末機器用ケース１を手にすると患者案内カード５の画面５２の天地が正しい状態となり表示内容を容易に確認できる。
【００２１】
ストラップ４は留め具４１と留め具４１と係合し使用者Ｎの首に余裕を持って掛けられる長さを有する紐４２とからなる。留め具４１は硬質の樹脂でなり図４に示すように先端部４１ａはＵ字形をなし、Ｕ字形の底に吊孔３２を掛けるものである。
【００２２】
ストラップ４を吊孔３２に掛けた状態では、前面シート２のツマミ部２１のツマミ上部２１ｂは留め具４１の先端部４１ａの上に重なる。この時、留め具４１の先端部４１ａのＵ字形の膨らみによりストラップ受部３１からツマミ部２１が持ち上がる状態となる。ツマミ部２１が持ち上がっていることで、透明なツマミ部２１が見えやすくなり、防水ファスナー１３を開ける時に容易にツマミ部２１の端を摘むことができ、防水ファスナー１３を容易に開けることができるようになる。
【００２３】
これによりビニールの性質で前面シート２と背面シート３が密着しやすく透明のため、挿入口１３ａが見えにくく、開けにくかった携帯情報端末機器用ケース１が、高齢者の多い患者案内カード５の使用者にとって、ツマミ部２１が見えやすくなり、防水ファスナー１３が開けやすいものとなる。
【符号の説明】
【００２４】
１：携帯情報機器用ケース、１２：収納部、１３：防水ファスナー
２：前面シート、２ａ：前面側のシート、２１：ツマミ部、２１ａ：ツマミ下部、２１ｂ：ツマミ上部
３：背面シート、３ａ：背面側のシート、３１：ストラップ受部、３２：吊孔、３３：イラスト
４：ストラップ、４１：留め具、４１ａ：先端部、４２：紐
５：患者案内カード、５１：本体、５２：画面
【図１】
2015100368.tif 000003
【図２】
2015100368.tif 000004
【図３】
2015100368.tif 000005
【図４】
2015100368.tif 000006
【図５】
2015100368.tif 000007